(57)【要約】  ベッド上の子供のための寝具構成の安全性を向上させるシステムを提供する。本ベッドは、マットレス及びボックススプリングを含む。本システムは、マットレス及びボックススプリングの周囲を囲むためのフレームを含む。本フレームは複数の部分を含み、これらは、各連結部において面ファスナーで取外し可能に取り付けられる。本フレームの外側表面は、フラシ天材料から形成される。複数の部分は、マットレス及びボックススプリングのそれぞれ一対の反対側部表面に沿って伸びる、一対のサイド部を含む。一対のサイド部は、ベッド上の子供がマットレスの側部表面を越えて、マットレスから落ちるのを防ぐために、サイド部の上部から所定高さ分だけ伸びるように構成された各垂直バンパーを含む。【選択図】  図１
2011512951.tif 000002
【特許請求の範囲】
【請求項１】
ベッド上の子供のための寝具構成の安全性を向上させるためのシステムであり、前記ベッドは、マットレス及びボックススプリングを含み、
前記システムは、該マットレス及び該ボックススプリングの周囲を囲むように構成されたフレームを具備し、
前記フレームは、複数の部分を含み、
前記複数の部分は、各連結部において面ファスナーで取外し可能に取り付けられるものであって、
前記フレームの外側表面は、フラシ天材料から形成され、
前記複数の部分は、該マットレス及び該ボックススプリングのそれぞれ一対の反対側部表面に沿って伸びるように構成された一対のサイド部を含み、
前記一対のサイド部は、該ベッド上の該子供が該マットレスの前記側部表面を越えて、該マットレスから落ちるのを防ぐために、前記サイド部の上部から所定の高さだけ伸ばすよう構成されたそれぞれの垂直バンパーを含む、
ことを特徴とするシステム。
【請求項２】
前記フレームは、生き物の形をとることを特徴とする請求項１記載のシステム。
【請求項３】
前記フラシ天材料は、洗濯可能であり、
前記フレームの内部は、発泡材料、及び／又は、クッション材料で充填される、
ことを特徴とする請求項１記載のシステム。
【請求項４】
前記面ファスナーは、Ｖｅｌｃｒｏ（登録商標）を包含することを特徴とする請求項１記載のシステム。
【請求項５】
前記複数の部分は、
該生き物の頭、肩、腕の少なくとも１つを形成するトップ部と、
該生き物の横腹、脚の少なくとも１つを形成する一対のサイド部と、
を含む部分であって、
前記トップ部及びサイド部は、該生き物のわきの下の連結部に隣接した前記面ファスナーにより、取外し可能に取り付けられ、
前記各サイド部は、該生き物の前記脚のかかと部に隣接した前記面ファスナーで取外し可能に取り付けられる、
ことを特徴とする請求項２記載のシステム。
【請求項６】
前記複数の部分は、前記マットレス及びボックススプリングの一部が、それぞれ該各部分の空洞内に収まるような寸法であることを特徴とする請求項１に記載のシステム。
【請求項７】
前記空洞は、
該マットレスの上部表面の一部に沿って伸びるよう構成された前記部分の該上部と、
該ボックススプリングの下部表面の一部に沿って伸びるように構成された前記部分の下部と、
該下部及び上部をつなぐように構成されており、かつ、前記マットレス及びボックススプリングが前記空洞に収まる際に、該マットレス及びボックススプリングの該側部表面に沿って伸びるように構成された垂直部と、
で定義されることを特徴とする請求項６記載のシステム。
【請求項８】
前記ベッドは、部屋の床に置かれ、
該サイド部の前記上部は、
前記床に対して、それぞれ内側の高さ及び外側の高さを有する内側の縁及び外側の縁と、
前記垂直バンパーにより分離される前記内側の縁及び外側の縁と、
を含み、
前記内側の高さは、該ベッド上で就寝する子供に対応し、一方、前記外側の高さは、該垂直バンパーを越えてしまう子供に対応し、
前記外側の高さは、前記内側の高さより低い、
ことを特徴とする請求項１記載のシステム。
【請求項９】
前記内側の高さは、１２〜１８インチ（３０．４８〜４５．７２センチメートル）の範囲にあり、前記外側の高さは、９〜１１インチ（２２．８６〜２７．９４センチメートル）のそれぞれの範囲にあることを特徴とする請求項８記載のシステム。
【請求項１０】
各スロットは、各該サイド部の該上部内に形成され、
前記各スロットは、各該サイド部に沿った方角に形成され、
前記各垂直バンパーは、該各スロットに取外し可能に挿入されるようになる、
ことを特徴とする請求項１記載のシステム。
【請求項１１】
前記各垂直バンパーは、高密度発泡材料から形成され、前記高密度発泡材料は、洗濯可能あることを特徴とする請求項１０記載のシステム。
【請求項１２】
前記サイド部の前記内側の縁は、前記サイド部の前記上部に対して直立方向に前記各垂直バンパーを保つように構成された一体化した弾性布を含むことを特徴とする請求項８記載のシステム。
【請求項１３】
前記弾性布は、 前記フレームが直立方向を保つよう、前記サイド部により、前記マットレス及び前記ボックススプリングの前記反対側部表面を内側へ圧迫しつづけるように構成されることを特徴とする請求項１２記載のシステム。
【請求項１４】
前記システムは、前記マットレスをカバーするように構成されたベッドシーツを含み、
前記ベッドシーツの周囲は、複数の面ファスナーを含み、
前記マットレス上の前記ベッドシーツを取り替える際、前記ベッドシーツの前記面ファスナーは、前記サイド部の該内側の縁に沿って置かれた複数の面ファスナーに固定される、
ことを特徴とする請求項１２記載のシステム。
【請求項１５】
空洞は、オーディオ出力装置を収納するために前記トップ部内に形成され、
前記オーディオ出力装置は、該ベッド上の該子供が聞くことが可能なオーディオ信号を送信するように構成される、
ことを特徴とする請求項５記載のシステム。
【請求項１６】
前記オーディオ出力装置は、電源及びオーディオ入力装置に接続され、
前記入力装置は、可聴入力を検出するように構成され、
前記オーディオ出力装置は、該オーディオ入力装置により、該可聴入力の前記検出に基づいた該オーディオ信号の送信を開始するように構成される、
ことを特徴とする請求項１５記載のシステム。
【請求項１７】
該生き物の前記腕の端は、該子供の手を収めて、該生き物の該腕が該子供を抱きしめるように構成されたスロットを含むことを特徴とする請求項５記載のシステム。
【請求項１８】
ベッド上の子供のための寝具構成の安全性を向上させるシステムであり、前記ベッドは、マットレスを含むシステムにおいて、
前記システムは、該マットレスの周囲を囲むように構成されたフレームを具備し、
前記フレームは、複数の部分を含み、
前記複数の部分は、互いに取外し可能に取り付けられるものであって、
前記複数の部分は、該マットレスのそれぞれ一対の反対側部表面に沿って伸びるように構成された一対のサイド部を含み、
前記一対のサイド部は、該ベッド上の該子供が、該マットレスから落ちるのを防ぐために、前記サイド部の上部から所定の高さだけ伸ばすよう構成されたそれぞれの垂直バンパーを含む、
ことを特徴とするシステム。
【請求項１９】
ベッド上の子供のための寝具構成の安全性を向上させる方法であり、前記ベッドは、マットレス及びボックススプリングを含む方法において、
前記方法は、該マットレス及び該ボックススプリングの周囲をフレームで囲むことを具備し、
前記フレームは、複数の部分を含み、かつ、フラシ天の材料から形成された外側表面を有するものであって、
前記囲むことは、
該マットレス及び該ボックススプリングのそれぞれ一対の反対側部表面に沿って、該複数の部分の一対のサイド部を伸ばすことと、
該複数の部分を各連結部において面ファスナーで取外し可能に取り付けることと、
該ベッド上の該子供が、該マットレスの前記側部表面を越えて、該マットレスから落ちるのを防ぐために、それぞれの垂直バンパーを前記サイド部の上部から所定の高さだけ伸ばすことと、
を具備する方法。
【請求項２０】
前記囲むことは、該各部分の空洞の内に前記マットレス及びボックススプリングの一部を収めることを含み、前記収めることは、
該マットレスの上部表面の一部に沿って前記部分の該上部を伸ばすことと、
該ボックススプリングの下部表面の一部に沿って前記部分の下部を伸ばすことと、
該マットレス及び該ボックススプリングの該側部表面に沿って前記部分の垂直部を伸ばすことと、
を含むことを特徴とする請求項１９に記載の方法。
【請求項２１】
部屋の床に該ベッドを置くことと、
該サイド部の前記上部内に内側の縁及び外側の縁を形成することと、
ここで、前記内側の縁及び外側の縁は、前記垂直バンパーによって分離されているものであり、
該内側の縁及び該床との間の内側の高さが、該ベッドの上で就寝する子供に対応するように前記内側の縁を構成することと、
該外側の縁及び該床との間の外側の高さが、該垂直バンパーを越えてしまう子供に対応することと、
ここで、前記外側の高さは前記内側の高さより低いものである、
をさらに具備する請求項１９に記載の方法。
【請求項２２】
該各サイド部の該上部中に各スロットを形成し、前記各スロットは、該各サイド部に沿った方向に並ぶことと、
前記垂直バンパーを該各スロット内に取外し可能に挿入することと、
をさらに具備する請求項１９に記載の方法。
【請求項２３】
該サイド部の前記上部の内に弾性布を一体化することと、
前記各垂直バンパー及び前記フレームが直立方向を達成するように、前記サイド部により、前記マットレス及び前記ボックススプリングの前記反対側面上部を内部へ圧迫し続けることと、
をさらに具備する請求項２１に記載の方法。
【発明の詳細な説明】
【技術分野】
【０００１】
本願は、２００８年２月２５日出願の米国仮特許出願第６１／０３１，０４４号に対する優先権を主張するものであり、参照により全体として本明細書に盛り込まれる。
【０００２】
本発明は、ベッド上の子供のための寝具構成、特に、ベッド上の子供のための寝具構成の安全性を向上させるシステム及び方法に関する。
【背景技術】
【０００３】
子供、例えば、ベッドフレームや、マットレス、ボックススプリングの上で眠る子供の寝具構成は、安全上の懸念がある可能性がある。例えば、標準フレームが通常６〜１０インチ（１５．２４〜２５．４センチメートル）の高さであり、また、マットレス及びボックススプリングがそれぞれ通常６〜９インチ（１５．２４〜２２．８６センチメートル）の高さであることを踏まえれば、このような寝具構成で子供が眠る高さは、１８〜２８インチ（４５．７２〜７１．１２センチメートル）ある可能性がある。従って、このような寝具構成から子供が落ちる不運なシナリオの場合、１８〜２８インチ（４５．７２〜７１．１２センチメートル）の落下を許すことになる。これらの安全上の懸念を低減するため、以下で議論されるような従来システムがいくつか開発されてきている。
【０００４】
Ｂａｕｍの米国特許第４，８００，６００号は、装飾に富む形状のベビーベッドバンパーを開示する。このバンパーは、ベビーベッドバンパーの従来の役割として役立つ詰め物をした脚の他に、ベビーベッド側面により高く立っているさらなる保護を提供する詰め物をした腕を有する。この斬新なベビーベッドバンパーにおける筒状の腕及び脚は、ロール状にしたファイバーフィル芯材を使用して詰められる。この芯材は挿入用のツールに入れられる。この挿入用のツールは、前もって筒状に形成されてもよく、ロール状にしたファイバーフィル芯材の周りを巻くフレキシブルシート材を具備してもよい。この挿入用のツールを使用することで、シンプルかつ簡単にベビーベッドバンパーの脚又は腕にロール状にしたファイバーフィル芯材を挿入することができ、このツールをはずせば、ファイバーフィル芯材を所定位置に残すことができる。その後、ファイバーフィル芯材は、ベビーベッドバンパーのアウターケーシングに縫製によりしっかりと取り付けられる。
【０００５】
Ｓｈｅｒｉｄａｎの米国特許第６，２５６，９６５号は、空洞を包含する物質的に快適にしてくれる物の中に、野生動物のようなあらかじめ選択した対象物を再現するためのデザイン方法及び製造方法を開示する。この空洞は、頭や脚のといった対象物からあらかじめ選択された部分を組み込んで空洞の周囲に加えることで、孤立領域へと高められうる。そして、空洞への近づきやすさを維持しているため、露出面、すなわち、柔らかく、暖かく、対象物の使用者を惹きつけるコンフォートパネルを提供しながら、対象物の色及び手触りに似たフラシ天材料で対象物の表面を再現することを選択している。なお、あらかじめ選択された音声を提供するために、本対象物に音声再生装置を加えてもよい。また、音声再生装置を保持するために、本対象物内に子供安全ポケットを形成してもよい。
【０００６】
Ｐｅｆｔｏｕｌｉｄｉｓの米国特許第６，５７８，２１４号は、種々のスポーツの形をしたベッドデザインを開示している。これらは、マットレス、モーションセンサ、充電式電池、及び、調光式ナイトライトから成る。これらデザインには、フットボール、野球、サッカー、バスケットボールの形や、その他のスポーツの形がある。このベッドは、デザインに従い、様々な位置にある収納用引出しも具備する。各ベッドは、ナイトライトの調光器を作動させるバッテリー駆動のモーションセンサを含む。子供がベッドで横になったことをセンサが示すと、調光器がその信号に応答してライトがつく。そして短時間の間に、ライトは徐々に暗くなり完全に消える。子供が起き上がった場合には、センサが反応してライトがつく。マットレスは、フレームとヘッドボードとの間の凹部の内側の底に収まる。
【０００７】
Ｂａｕｍは、ベビーベッドバンパーを開示しているが、これは、例えば、マットレス及びボックススプリングを用いたベッドフレーム内で使用できるようにデザインしたバンパーを含んでいない。さらに、ベビーベッドバンパーは、ベビーベッドのフレーム上に設置されるため、地面からのベビーベッドのフレームの高さは低減されてはいない。それ故、このさらなる高さが、思いもよらないベッドからの落下の一因となることを許容している。Ｓｈｅｒｉｄａｎは、使用者が収まる大きさの空洞を開示しているため、この空洞は、マットレス、もしくは、ボックススプリングが収まる大きさではない。さらに、Ｓｈｅｒｉｄａｎは、このフレームは一体化／ワンピースでできていると開示しており、例えば、扱いやすく洗濯可能な部品へ分離することはできないだろう。Ｐｅｆｔｏｕｌｉｄｉｓは、マットレスを収めるように構成されたフレームを開示するが、このフレームは、収納用引出しを含んでおり、この引出しが、地面に対する、マットレス（つまり子供）の高さを上げているため、この上昇した高さにより、安全上の懸念が高まることを許容している。さらに、Ｓｈｅｒｉｄａｎと同様、このフレームもワンピースフレームでできており、例えば、扱いやすく洗濯可能な部品へ分離することはできないだろう。
【０００８】
従って、地面に対する子供の就寝する高さを低減したベッドフレームを提供する一方、子供がベッドから落ちる可能性も低減し、例えば、扱いやすく洗濯可能な部品で便利なフレームを提供するシステムを提供することは利点となる。
【発明の概要】
【０００９】
本発明の一実施形態は、ベッド上の子供のための寝具構成の安全性を向上させるシステムを提供する。本ベッドは、マットレスとボックススプリングを含む。本システムは、マットレスとボックススプリングの周囲を囲むためのフレームを含む。本フレームは複数の部分を含む。これらは、それぞれの連結部において面ファスナーで取外し可能に取り付けられている。本フレームの外側表面は、フラシ天材料から形成される。これら複数の部分は、一対のサイド部を含み、この一対のサイド部は、マットレス及びボックススプリングのそれぞれ一対の反対側部表面に沿って伸びている。この一対のサイド部は、それぞれ垂直バンパーを含み、このバンパーは、サイド部の上部から所定の高さだけ伸びるよう構成されている。これにより、ベッド上の子供がマットレスの側部表面を越えて、マットレスから落ちるのを防ぐ。
【００１０】
本発明の別の実施形態は、ベッド上の子供のための寝具構成の安全性を向上させるシステムを提供する。また、これはマットレスを含む。本システムは、マットレスの周囲を囲むよう構成されたフレームを含む。本フレームは、複数の部分を含む。これら部分は互いに取外し可能に取り付けられている。これら複数の部分は、一対のサイド部を含み、この一対のサイド部は、マットレスのそれぞれ一対の反対側部表面に沿って伸びている。この一対のサイド部は、それぞれ垂直バンパーを含み、このバンパーは、サイド部の上部から所定の高さだけ伸びている。これにより、ベッド上の子供がマットレスから落ちるのを防ぐ。
【００１１】
本発明の別の実施形態は、ベッド上の子供のための寝具構成の安全性を向上させる方法を提供する。本ベッドは、マットレス及びボックススプリングを含む。本方法は、マットレス及びボックススプリングの周囲をフレームで囲むことを含む。本フレームは複数の部分を含み、これら複数の部分は、フラシ天材料から形成された外側表面を有する。この囲むというステップは、この複数の部分の一対のサイド部をマットレス及びボックススプリングのそれぞれ一対の反対側部表面に沿って伸ばし、この複数の部分を各連結部において面ファスナーで取外し可能に取り付けることを含む。本方法は、それぞれの垂直バンパーをサイド部の上部から所定の高さだけ伸ばすことをさらに含み、これにより、ベッド上の子供がマットレスの側部表面を越えて、マットレスから落ちるのを防ぐ。
【図面の簡単な説明】
【００１２】
添付された図面で説明した本発明の具体的な実施形態を参照することにより、先に概説された本発明のより詳しい説明がなされるはずである。これらの図面は、本発明の通常の実施形態のみを表しており、従って、その範囲を制限するものではないと考えられることを理解されたい。本発明の例示的な実施形態は、以下に添付した図面の使用を通して、さらに詳細に細部まで記述され、説明されるはずである。
【００１３】
【図１】図１は、本発明に従ったベッド上の子供のための寝具構成の安全性を向上させるシステムの例示的な実施形態の上部分解図を表す。
【００１４】
【図２】図２は、図１で示したシステムの内部でのフレーム内部の部分的な後部透視図を表す。
【００１５】
【図３】図３は、図１で示したシステムの複数の部分、並びに、マットレス及びボックススプリングの側面分解図を表す。
【００１６】
【図４】図４は、図１で示したシステムの複数の部分、並びに、マットレス及びボックススプリングの正面分解図を表す。
【００１７】
【図５】図５は、図１で示したシステムの複数の部分、並びに、マットレス及びボックススプリングの正面分解図を表す。
【００１８】
【図６】図６は、図４で示したシステムの複数の部分、並びに、マットレス及びボックススプリングの側面断面図を表す。
【００１９】
【図７】図７は、図４で示したシステムの一部分のスロット内に挿入した取外し可能なバンパーの上部透視図を表す。
【００２０】
【図８】図８は、マットレスをカバーする毛布備えた、図１で示したシステムの平面図を表す。
【００２１】
【図９】図９は、ベッド上に置かれた子供の手を収納するために手部内に形成されたスロットを備えた、図１で示したフレームの手部の部分的な透視図を表す。
【００２２】
【図１０】図１０は、オーディオ出力装置を収納するために頭部内に形成された空洞を備えた、図１で示したフレームの頭部の部分的な透視図を表す。
【００２３】
【図１１】図１１は、本発明に従ったベッド上の子供のための寝具構成の安全性を向上させる方法の例示的な実施形態を示すフローチャートを表す。
【発明を実施するための形態】
【００２４】
これから本発明にふさわしい実施形態について詳細に言及する。本発明の実施例を添付した図面の中で示す。図面の全体にわたって使用される同一の参照数字は、可能な限り、同一のあるいは同様の部分を指す。
【００２５】
図1は、ベッド１０２上の子供のための寝具構成の安全性を向上させるシステム１００の例示的な実施形態を示す。ベッド１０２は、マットレス１０６及びボックススプリング１０８を含む（図３）。しかしながら、ベッドは、ボックススプリングなしで、マットレスだけを含む場合もある。マットレス及びボックススプリングは、シングル、ダブル、ツイン、クイーンあるいはキングサイズのマットレス／ボックススプリングのうちのいずれであってもよい。また、フレーム１１０は、マットレス／ボックススプリングのサイズに合わせ、これに対応した大きさになる。さらに、フレーム１１０は、ベビーベッド・マットレス／ボックススプリングに合わせた大きさにしてもよい。従って、ベッド１０２及びフレーム１１０は、よちよち歩きの幼児及び子供が、ベビーベッドからフルサイズベッドへ移行するまでの「移行時用ベッド」として利用されてもよい。さらに、以下で議論されるように、本発明の例示的な実施形態では、フレーム１１０は部屋の床１７６上に置かれており（図４）、従って、よちよち歩きの幼児／子供が、ベビーベッドからフルサイズベッドに移行するまでの間、ベッド１０２は、本質的に地面に対して低く置かれ、安全性を向上させている。
【００２６】
図１の例示的な実施形態で示すように、システム１００は、マットレス１０６及びボックススプリング１０８の周囲を囲むフレーム１１０を含む。図１に示すように、フレーム１１０は、熊のような生き物の形をとる。また、フレーム１１０は、例えばＡＳＴＭ（米国材料試験協会）の基準を満たすフラシ天材料のような、フラシ天材料から形成される外側表面１２８を有する。しかしながら、フレーム１１０は、例えばおもちゃの列車のような無生物の形をとってもよい。従って、以下で議論する本発明の実施形態は、熊のような生き物の形をしたフレームの例示的な実施形態に言及しているが、以下で規定するように、本フレームは、寝具構成の安全性を十分に向上させるものであれば、生物、無生物のいずれの形式であってもよい。例示的な実施形態において、フレーム１１０の外側表面を形成するフラシ天材料は、洗濯可能であり、フレームの外側を簡単に取りはずし、かつ/又は、例えば標準的な洗濯機で洗濯することも可能である。
【００２７】
フレーム１１０は、複数の部分１１４、１１６、１１８を含む。これらは、各連結部１２０、１２２、１２４において、例えば、Ｖｅｌｃｒｏ（登録商標）のような面ファスナー１２６、もしくは、線ファスナーで互いに取外し可能に取り付けられている。複数の部分１１４、１１６、１１８は、以下を含む。生き物の頭１４６、肩１４８、及び／又は、腕１５０（図２〜３）を形成するトップ部１１４、並びに、生き物の横腹１５２、及び、脚１５４、１５６を形成する一対のサイド部１１６、１１８、である。トップ部１１４及びサイド部１１６、１１８は、面ファスナー１２６により、生き物のわきの下の各連結部１２０、１２２に隣接して取外し可能に取り付けられる。さらに、各サイド部１１６、１１８は、面ファスナー１２６により、生き物の脚１５４、１５６のかかと連結部１２４に隣接して取外し可能に取り付けられる。図１では、生き物のわきの下及びかかとの部位に隣接していて置かれる連結部１２０、１２２、１２４を示しているが、これら連結部は、生き物のどんな部位に置かれてもよく、又、連結部及び部分は、個別のデザインに応じて３以上又は未満で使用されていてもよい。さらなる例示的な実施形態において、腕１５０は、トップ部１１４に、例えば、Ｖｅｌｃｒｏ（登録商標）のような面ファスナー１２６、もしくは、線ファスナーで取外し可能に取り付けられてもよい。図１〜１０中で示した本発明の実施形態では、フレーム１１０を、複数の部分１１４、１１６、１１８（これらは、取外し可能に取り付けられている）として表すが、このフレームは、ワンピースの部分から形成されてもよい。なお、このワンピースの部分は、例えば、同一のフラシ天材料から形成される。
【００２８】
本発明の例示的な実施形態において、一対のサイド部１１６、１１８は、マットレス１０６及びボックススプリング１０８のそれぞれ一対の反対側部表面１３０、１３２（図１及び３を参照）に沿って伸びている。図１は分解立体図であるため、この図では、これら部品を説明するため、サイド部１１６、１１８が反対表面１３０、１３２から分離しているように示されている。しかしながら、以下に議論するように、フレーム１１０の使用中は、サイド部１１６、１１８は、反対側部表面１３０、１３２に動かないように係合される。一対のサイド部１１６、１１８は、各垂直バンパー１３４、１３６を含み、これらは、サイド部１１６、１１８の上部１３８（図６）から所定の高さだけ伸びている。垂直バンパー１３４、１３６の所定の高さは、ベッド１０２上の子供が、マットレス１０６の側面上部１３０、１３２側部表面を越えて、マットレス１０６から落ちるのを防ぐために築かれる。上述のように、ベッド１０２及びフレーム１１０は、子供／よちよち歩きの幼児が、ベビーベッドからフルサイズベッドへ移行するまでの「移行時用ベッド」として利用されてもよい。垂直バンパー１３４、１３６は、ベッド１０２で就寝する子供の安全条件を向上させるので、ベッド１０２及び構造１１０は、この移行期間に利用されてもよい。さらに、以下で議論されるように、垂直バンパー１３４、１３６は取り外すことができるので、子供が成長してフルサイズベッドで眠ることができるようになった後でも、ベッド１０２及びフレーム１１０にとどまることができる。
【００２９】
図２では、フレーム１１０のトップ部１１４の頭１４６の背面図を表す。この図２の例示的な実施形態で示すように、トップ部の外側が開けられていることで、フレーム１１０の内部が、例えばＰｏｌｙｆｉｌｌのような発泡材料、及び／又は、クッション材料１４２で充填されることを明らかにしている。フレーム１１０を充填した、このような発泡材料、及び／又は、クッション材料１４２は、簡単に取外し可能で、洗濯／交換可能であるため、従って、フレーム１１０のメンテナンスをシンプルにする。図２は、トップ部１１４、より詳しくは、内部のクッション材料を明らかにするために開けられた生き物の頭１４６を示すが、フレーム１１０の各部分の内部は、内部への点検口を含んでいてもよく、内部のクッション材料を取り外し、かつ／又は洗濯することが可能となる。
【００３０】
図９の例示的な実施形態において示されるように、生き物の腕１５０は、脚／手１９３で終了してもよい。脚／手１９３は、ベッド１０２上で就寝する子供の手を収めるように構成されたスロット１９５を含む。スロット１９５中で子供の手を収める場合、生き物の腕１５０は、例えば、子供がこれら腕をクロスさせて子供自身が抱きしめられるように動かせてもよい。例示的な実施形態において、小児科医院あるいは保育所のような子供を収容する機関が、治療目的、及び／又は、子供を落ち着かせるため、及び／又は、子供を寝かしつけるためにフレーム１１０を利用してもよい。
【００３１】
図４の例示的な実施形態において示されるように、複数の部分１１４、１１６、１１８は、マットレス１０６及びボックススプリング１０８の一部が、それぞれ各部分１１４、１１６、１１８の空洞１６６内に収まるような寸法である。図３は、サイド部１１８の空洞１６６内に収まるマットレス１０６及びボックススプリング１０８を示すが、マットレス１０６及びボックススプリング１０８は、部分１１４、１１６における同様の空洞１６６内に収まる。図５〜６に示されるように、空洞１６６は、マットレス１０６の上部表面１６８の一部に沿って伸びる部分１１８の上部１３８によって定義される。さらに、空洞１６６は、ボックススプリング１０８の下部表面１７２の一部に沿って伸びる部分１１８の下部１７０によって定義される。さらに、マットレス１０６及びボックススプリング１０８が空洞１０６内に収まる場合、空洞１６６は、下部１７０及び上部１３８をつなぎ、マットレス１０６及びボックススプリング１０８の側部表面１３２に沿って伸びる部分１１８の垂直部１７４によって定義される。
【００３２】
図４の例示的な実施形態において示されるように、フレーム１１０は、部屋の床１７６に置かれる。しかしながら、フレーム１１０は、部屋の床１７６に直接設置される必要はない。さらに、図６の例示的な実施形態において示されるように、サイド部１１８の上部１３８は、内側の縁及び外側の縁１７８、１８０を含む。これらは、床に対してそれぞれ内側の高さ及び外側の高さ１８２、１８４を有する。内側の縁及び外側の縁１７８、１８０は、垂直バンパー１３６によって分離される。さらに、内側の高さ１８２は、子供がベッド１０２上で就寝する高さに対応し、一方、外側の高さ１８４は、子供が垂直バンパー１３６を越えてから床１７６に落ちるまでの高さに対応している。図６の例示的な実施形態において示されるように、外側の高さ１８４は、内側の高さ１８２より低い。例示的な実施形態において、内側の高さは、１２〜１８インチ（３０．４８〜４５．７２センチメートル）の範囲にあり、外側の高さは、９〜１１インチ（２２．８６〜２７．９４センチメートル）のそれぞれの範囲にある。さらに例示的な実施形態において、垂直バンパーは、（上部１３８に対して）高さ約４インチ（約１０．１６センチメートル）、幅約４インチ（約１０．１６センチメートル）、（サイド部１１８に沿って）長さ約４８インチ（約１２１．９センチメートル）となり得る。
【００３３】
図７の例示的な実施形態において示されるように、各スロット１８６は、サイド部１１８の上部１３８内に形成される。各スロット１８６は、サイド部１１８に沿った方角に形成される。さらに、垂直バンパー１３６は、スロット１８６内に取外し可能に挿入されることになっている。図７は、サイド部１１８の上部１３８内に形成されたスロット１８６を示すが、同様のスロットが、サイド部１１６の上部中に形成される。また、垂直バンパー１３４は、スロット１８６内に取外し可能に挿入される。図７は、垂直バンパーがスロット内に取外し可能に挿入することができることを示すが、例示的な実施形態において、垂直バンパーは、例えば、Ｖｅｌｃｒｏ（登録商標）、もしくは、線ファスナーを用いて上部１３８に直接取り付けられてもよい。この場合、スロットは必要ないだろう。例示的な実施形態において、各垂直バンパー１３４、１３６は、高密度発泡材料から形成され、また、洗濯可能である。このため、これらバンパーを各スロットから取り外し次第、簡単に洗濯し、交換することが可能である。例えば、首をさらにサポートするために、スロット１８６内に置かれた取外し可能に挿入可能なバンパー１３６と同様に、取外し可能な挿入物を生き物の頭１４６の後部に隣接したスロット（図示せず）内に置かれてもよい。例示的な実施形態において、頭１４６の後部に隣接したこのようなスロットは、首の周囲を囲んでもよい。また、取外し可能な挿入物は、例えば、スロット内に挿入された時に、生き物の首及び／又は頭をさらにサポートするような大きさにしてもよい。
【００３４】
図８の例示的な実施形態において示されるように、サイド部１１６、１１８の内側の縁１７８は、サイド部１１６、１１８の上部１３８に対して直立方向に各垂直バンパー１３４、１３６を保つための一体化した弾性布１８８を含む。一体化した弾性布１８８は、例えば、サイド部１１６、１１８の内側の縁１７８のフラシ天材料の布に縫い込まれ、かつ／あるいは、織り込まれてもよい。弾性布１８８は、サイド部１１６、１１８により、マットレス１０６及びボックススプリング１０８の反対側部表面１３０、１３２を内側へ圧迫し続けることで、フレーム１１０が、マットレス１０６及びボックススプリング１０８に対して直立方向に保たれる。さらに、図８の例示的な実施形態において示されるように、システム１００は、マットレス１０６をカバーするベッドシーツ１９０を含む。また、ベッドシーツ１９０の周囲は、例えば、Ｖｅｌｃｒｏ（登録商標）のような面ファスナー１９２、もしくは、線ファスナーを含む。マットレス１０６上のベッドシーツ１９０を取り替え次第、ベッドシーツ１９０周囲の面ファスナー１９２は、サイド部の内側の縁１７８に沿って置かれた複数の面ファスナー１９２に固定される。従って、ベッドシーツ１９０は、例えば、サイド部１１６、１１８及びフレーム１１０が直立方向に保つのをさらにサポートするように、マットレス１０６上に置かれる。
【００３５】
図１０の例示的な実施形態において示されるように、空洞１９６は、フレーム１１０のトップ部１１４の頭１４６の内に形成される。空洞１９６は、ベッド１０２上の子供が聞くことが可能なオーディオ信号を送信するオーディオ出力装置１９８を収納するような大きさにして形成される。オーディオ出力装置１９８は、電源及びオーディオ入力装置１９７に接続される。これにより、オーディオ入力装置１９７は、子供の声のような可聴入力を検出し、オーディオ出力装置１９８は、オーディオ入力装置１９７が検出した可聴入力に基づいてオーディオ信号の送信を開始する。例示的な実施形態において、オーディオ出力装置は、スピーカー、ＣＤプレーヤー、ＭＰ３プレーヤー、及び／又は、入力信号に基づきオーディオ信号を出力することができる、当業者であれば知っているであろう任意のオーディオ出力装置でもよい。例示的な実施形態において、オーディオ入力装置は、子供の声を検出するマイクロホン、もしくは、同様の装置であってもよく、子供が、特定のオーディオトラック／就寝時のおとぎ話のような特定のオーディオ信号をリクエストしているかどうかを識別するように構成されてもよい。このオーディオ信号は、オーディオ出力装置に接続されたメモリに格納される。オーディオ出力装置は、オーディオ入力装置からの信号を受信するように構成されてもよい。これは所望のオーディオトラック／就寝時のおとぎ話を表示し、続いて、所望のオーディオトラック／就寝時のおとぎ話を出力する。図１０は、オーディオ入力／出力デバイス１９７、１９８が生き物の頭１４６に置かれているところを示すが、オーディオ入力出力デバイス１９７、１９８は、生き物内のどの位置に置かれてもよい。
【００３６】
図１１は、ベッド１０２上の子供のための寝具構成の安全性を向上させる方法２００の例示的な実施形態を表すフローチャートを示す。方法２００は、マットレス１０６及びボックススプリング１０８の周囲をフレーム１１０で囲むことによる２０１から始まる。フレーム１１０は、複数の部分１１４、１１６、１１８を含み、フラシ天の材料から形成される外側表面１２８を有する。囲むこと２０２のステップは、マットレス１０６及びボックススプリング１０８のそれぞれ一対の反対側部表面１３０、１３２に沿って複数の部分の一対のサイド部１１６、１１８を伸ばすこと２０４を含む。囲むこと２０２のステップは、また、複数の部分１１４、１１６、１１８を、各連結部１２０、１２２、１２４において、面ファスナー１２６で取外し可能に取り付けること２０６を含む。方法２００は、ベッド１０２上の子供がマットレス１０６の側部表面１３０、１３２を越えて、マットレス１０６から落ちることを防ぐため、サイド部１１６、１１８の上部１３８から各垂直バンパーを所定の高さだけ伸ばすこと２０８をさらに含む。
【００３７】
本発明は種々の例示的な実施形態に関して記述したが、発明の精神及び範囲を逸脱することなく、種々の変更、省略、及び／又は、追加が行なわれてもよく、それら要素を同等のもので置き換えてもよいことは当業者であれば理解するであろう。従って、本発明は、この発明を実施するための最良の形態として開示された特定の実施形態に限定されず、本発明は、特許請求の範囲内にあるすべての実施形態を包含するものである。さらに、第一、第二などの用語の使用については、特に記載のない限り、その順序もしくは重要度を示すものではなく、むしろ、第一、第二などの用語は、ある要素を他と区別するために用いられる。
【図１】
2011512951.tif 000003
【図２】
2011512951.tif 000004
【図３】
2011512951.tif 000005
【図４】
2011512951.tif 000006
【図５】
2011512951.tif 000007
【図６】
2011512951.tif 000008
【図７】
2011512951.tif 000009
【図８】
2011512951.tif 000010
【図９】
2011512951.tif 000011
【図１０】
2011512951.tif 000012
【図１１】
2011512951.tif 000013
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
ベッド上の子供のための寝具構成の安全性を向上させるためのシステムであり、前記ベッドは、マットレス及びボックススプリングを含み、
前記システムは、該マットレス及び該ボックススプリングの周囲を囲むように構成された織物又は布製のフレームを具備し、
前記フレームは、複数の部分を含み、
前記複数の部分は、各連結部において柔軟な織物用ファスナーで取外し可能に取り付けられるものであって、
前記フレームの外側表面は、フラシ天材料から形成され、
前記複数の部分は、該マットレス及び該ボックススプリングのそれぞれ一対の反対側部表面に沿って伸びるように構成された一対のサイド部を含み、
前記一対のサイド部は、該ベッド上の該子供が該マットレスの前記側部表面を越えて、該マットレスから落ちるのを防ぐために、前記サイド部の上部から所定の高さだけ伸ばすよう構成されたそれぞれの垂直バンパーを含む、
ことを特徴とするシステム。
【請求項２】
前記フレームは、生き物の形をとることを特徴とする請求項１記載のシステム。
【請求項３】
前記フラシ天材料は、洗濯可能であり、
前記フレームの内部は、発泡材料、及び／又は、クッション材料で充填される、
ことを特徴とする請求項１記載のシステム。
【請求項４】
前記柔軟な織物用ファスナーは、面ファスナー又は線ファスナーを包含することを特徴とする請求項１記載のシステム。
【請求項５】
前記複数の部分は、
該生き物の頭、肩、腕の少なくとも１つを形成するトップ部と、
該生き物の横腹、脚の少なくとも１つを形成する一対のサイド部と、
を含む部分であって、
前記トップ部及びサイド部は、該生き物のわきの下の連結部に隣接した前記柔軟な織物用ファスナーにより、取外し可能に取り付けられ、
前記各サイド部は、該生き物の前記脚のかかと部に隣接した前記柔軟な織物用ファスナーで取外し可能に取り付けられる、
ことを特徴とする請求項２記載のシステム。
【請求項６】
前記複数の部分は、前記マットレス及びボックススプリングの一部が、それぞれ該各部分の空洞内に収まるような寸法であることを特徴とする請求項１に記載のシステム。
【請求項７】
前記空洞は、
該マットレスの上部表面の一部に沿って伸びるよう構成された前記部分の該上部と、
該ボックススプリングの下部表面の一部に沿って伸びるように構成された前記部分の下部と、
該下部及び上部をつなぐように構成されており、かつ、前記マットレス及びボックススプリングが前記空洞に収まる際に、該マットレス及びボックススプリングの該側部表面に沿って伸びるように構成された垂直部と、
で定義されることを特徴とする請求項６記載のシステム。
【請求項８】
前記ベッドは、部屋の床に置かれ、
該サイド部の前記上部は、
前記床に対して、それぞれ内側の高さ及び外側の高さを有する内側の縁及び外側の縁と、
前記垂直バンパーにより分離される前記内側の縁及び外側の縁と、
を含み、
前記内側の高さは、該ベッド上で就寝する子供に対応し、一方、前記外側の高さは、該垂直バンパーを越えてしまう子供に対応し、
前記外側の高さは、前記内側の高さより低い、
ことを特徴とする請求項１記載のシステム。
【請求項９】
前記内側の高さは、１２〜１８インチ（３０．４８〜４５．７２センチメートル）の範囲にあり、前記外側の高さは、９〜１１インチ（２２．８６〜２７．９４センチメートル）のそれぞれの範囲にあることを特徴とする請求項８記載のシステム。
【請求項１０】
各スロットは、各該サイド部の該上部内に形成され、
前記各スロットは、各該サイド部に沿った方角に形成され、
前記各垂直バンパーは、該各スロットに取外し可能に挿入されるようになる、
ことを特徴とする請求項１記載のシステム。
【請求項１１】
前記各垂直バンパーは、高密度発泡材料から形成され、前記高密度発泡材料は、洗濯可能あることを特徴とする請求項１０記載のシステム。
【請求項１２】
前記サイド部の前記内側の縁は、前記サイド部の前記上部に対して直立方向に前記各垂直バンパーを保つように構成された一体化した弾性布を含むことを特徴とする請求項８記載のシステム。
【請求項１３】
前記弾性布は、前記フレームが直立方向を保つよう、前記サイド部により、前記マットレス及び前記ボックススプリングの前記反対側部表面を内側へ圧迫しつづけるように構成されることを特徴とする請求項１２記載のシステム。
【請求項１４】
前記システムは、前記マットレスをカバーするように構成されたベッドシーツを含み、
前記ベッドシーツの周囲は、複数の面ファスナーを含み、
前記マットレス上の前記ベッドシーツを取り替える際、前記ベッドシーツの前記面ファスナーは、前記サイド部の該内側の縁に沿って置かれた複数の面ファスナーに固定される、
ことを特徴とする請求項１２記載のシステム。
【請求項１５】
空洞は、オーディオ出力装置を収納するために前記トップ部内に形成され、
前記オーディオ出力装置は、該ベッド上の該子供が聞くことが可能なオーディオ信号を送信するように構成される、
ことを特徴とする請求項５記載のシステム。
【請求項１６】
前記オーディオ出力装置は、電源及びオーディオ入力装置に接続され、
前記入力装置は、可聴入力を検出するように構成され、
前記オーディオ出力装置は、該オーディオ入力装置により、該可聴入力の前記検出に基づいた該オーディオ信号の送信を開始するように構成される、
ことを特徴とする請求項１５記載のシステム。
【請求項１７】
該生き物の前記腕の端は、該子供の手を収めて、該生き物の該腕が該子供を抱きしめるように構成されたスロットを含むことを特徴とする請求項５記載のシステム。
【請求項１８】
ベッド上の子供のための寝具構成の安全性を向上させるシステムであり、前記ベッドは、マットレスを含むシステムにおいて、
前記システムは、該マットレスの周囲を囲むように構成されたソフトフレームを具備し、
前記フレームは、複数の部分を含み、
前記複数の部分は、柔軟な織物用ファスナーで互いに取外し可能に取り付けられるものであって、
前記複数の部分は、該マットレスのそれぞれ一対の反対側部表面に沿って伸びるように構成された一対のサイド部を含み、
前記一対のサイド部は、該ベッド上の該子供が、該マットレスから落ちるのを防ぐために、前記サイド部の上部から所定の高さだけ伸ばすよう構成されたそれぞれの垂直バンパーを含む、
ことを特徴とするシステム。
【請求項１９】
ベッド上の子供のための寝具構成の安全性を向上させる方法であり、前記ベッドは、マットレス及びボックススプリングを含む方法において、
前記方法は、該マットレス及び該ボックススプリングの周囲をフレームで囲むことを具備し、
前記フレームは、複数の部分を含み、かつ、フラシ天の材料から形成された外側表面を有するものであって、
前記囲むことは、
該マットレス及び該ボックススプリングのそれぞれ一対の反対側部表面に沿って、該複数の部分の一対のサイド部を伸ばすことと、
該複数の部分を各連結部において柔軟な織物用ファスナーで取外し可能に取り付けることと、
該ベッド上の該子供が、該マットレスの前記側部表面を越えて、該マットレスから落ちるのを防ぐために、それぞれの垂直バンパーを前記サイド部の上部から所定の高さだけ伸ばすことと、
を具備する方法。
【請求項２０】
前記囲むことは、該各部分の空洞の内に前記マットレス及びボックススプリングの一部を収めることを含み、前記収めることは、
該マットレスの上部表面の一部に沿って前記部分の該上部を伸ばすことと、
該ボックススプリングの下部表面の一部に沿って前記部分の下部を伸ばすことと、
該マットレス及び該ボックススプリングの該側部表面に沿って前記部分の垂直部を伸ばすことと、
を含むことを特徴とする請求項１９に記載の方法。
【請求項２１】
部屋の床に該ベッドを置くことと、
該サイド部の前記上部内に内側の縁及び外側の縁を形成することと、
ここで、前記内側の縁及び外側の縁は、前記垂直バンパーによって分離されているものであり、
該内側の縁及び該床との間の内側の高さが、該ベッドの上で就寝する子供に対応するように前記内側の縁を構成することと、
該外側の縁及び該床との間の外側の高さが、該垂直バンパーを越えてしまう子供に対応することと、
ここで、前記外側の高さは前記内側の高さより低いものである、
をさらに具備する請求項１９に記載の方法。
【請求項２２】
該各サイド部の該上部中に各スロットを形成し、前記各スロットは、該各サイド部に沿った方向に並ぶことと、
前記垂直バンパーを該各スロット内に取外し可能に挿入することと、
をさらに具備する請求項１９に記載の方法。
【請求項２３】
該サイド部の前記上部の内に弾性布を一体化することと、
前記各垂直バンパー及び前記フレームが直立方向を達成するように、前記サイド部により、前記マットレス及び前記ボックススプリングの前記反対側面上部を内部へ圧迫し続けることと、
をさらに具備する請求項２１に記載の方法。
【国際調査報告】
2011512951.tif 000014